(57)【特許請求の範囲】
【請求項１】
ケースと、ディスクを回転駆動するスピンドルモータを搭載し且つ前記ケースに対して出入可能なトレイを備えたディスクドライブ装置において、
ディスク収納時のディスク中心よりケース開口側に、前記ケースからディスクの周縁に向って迫り出した段部と、前記段部の奥側から出入時のディスク周縁軌跡と交わる方向に延び且つディスク周縁軌跡と干渉する可撓片とを備えたディスク制動機構を設け、
前記可撓片の厚みを前記段部とディスク周縁軌跡との間隔より厚くしたことを特徴とする、ディスクドライブ装置におけるディスク制動機構。
【請求項２】
前記可撓片が前記段部の後端に一体に取り付けられている、請求項１記載のディスク制動機構。
【請求項３】
前記可撓片が前記段部の後端に隣接して前記ケースに取り付けられている、請求項１記載のディスク制動機構。
【請求項４】
前記スピンドルモータが、前記可撓片を前記段部に向って倒伏する方向にディスクを回転する、請求項１乃至３のいずれかに記載のディスク制動機構。
【発明の詳細な説明】
【０００１】
【発明の属する技術分野】
本発明は、高密度ディスク、コンパクトディスク等のディスクドライブ装置におけるディスク制動機構に関する。
【０００２】
【従来の技術】
従来のディスクドライブ装置にも、ディスクドライブ装置内で回転していたディスクが回転した状態でディスクドライブ装置から排出されることを防止するために、ディスク制動機構が設けられてるものがあった。図４及び図５は、従来のディスクドライブ装置におけるディスク制動機構を示す図である。
ディスクドライブ装置１０１は、ケース１０２と、このケース１０２に挿入及びケース１０２から排出できるトレイ１０３を備えている。ケース１０２は、ボトムカバー１０２ａとトップカバー１０２ｂよりなる。トレイ１０３は、ケース１０２に摺動自在に取り付けられている。
トレイ１０３には、ディスク１０４を回転させるスピンドルモータ１０５、ディスク１０４に対して信号の読取り／書込みを行う光ピックアップ１０６等の部品で構成されたトラバース機構１０７が取付けられている。スピンドルモータ１０５にはディスク１０２をスピンドルモータ１０５と一体で回転させるためにターンテーブル１０５ａが設けられている。
【０００３】
ディスク制動機構を構成する緩衝部品１０８は合成繊維あるいはゴム等で作られており、ディスクドライブ装置１０１内にあるディスク１０４をディスクドライブ装置１０１外へ排出する際にディスク１０４の外周部側面（周縁）１０４ａと接触する位置に配置されている。
ディスク１０４の排出動作は、図５の（３）、（２）、（１）の順となる。ディスク１０４が回転している状態で排出されようとすると、ディスク外周部側面１０４ａと緩衝部材１０８が接触して制動力が働き、ディスク１０４の回転が減速、停止する。
一方、上記のような構成のディスク制動機構の場合、ディスク１０４をディスクドライブ装置１０１内へ挿入する際にもディスク１０４を排出する際と同様にディスク外周部側面１０２ａと緩衝部品１０４が接触することになる。この場合、ディスクの挿入動作は、図５の（１）、（２）、（３）の順となる。
【０００４】
この様に、ディスクドライブ装置１０１からディスク１０４を排出する際、及び、ディスクドライブ装置１０１へディスク１０４を挿入する際に、ディスク１０４に力が加えられると、スピンドルモータ１０５に設けられたターンテーブル１０５ａにチャッキングされたディスク１０４が当初チャッキングされていた位置からずれてしまうことがある。
ディスクを排出する際に位置がずれても、そのディスクは取り出されるだけであるが、ディスクを挿入する際に位置がずれると、スピンドルモータ１０５の回転中心とディスク１０４の中心のずれがディスクドライブ装置１０１の読取り／書込み特性に大きな影響を与えるために問題となる。
【０００５】
本発明の目的は、ディスクに加えられる力をディスク挿入時とディスク排出時で別々に設定することができる、ディスクドライブ装置におけるディスク制動機構を提供することである。
【０００６】
【課題を解決するための手段】
そこで、本発明は、ケースと、ディスクを回転駆動するスピンドルモータを搭載し且つ前記ケースに対して出入可能なトレイを備えたディスクドライブ装置において、ディスク収納時のディスク中心よりケース開口側に、前記ケースからディスクの周縁に向って迫り出した段部と、前記段部の奥側から出入時のディスク周縁軌跡と交わる方向に延び且つディスク周縁軌跡と干渉する可撓片とを備えたディスク制動機構を設け、前記可撓片の厚みを前記段部とディスク周縁軌跡との間隔より厚くしたことを特徴とする。
【０００７】
ディスク挿入時、ディスクはトレイに装着される。その後、トレイがケース内に挿入される。ディスクの周縁は、段部を通過する。可撓片は、トレイ出入時のディスク周縁軌跡と交わる方向に延びて周縁軌跡と干渉するので、ディスクの周縁は可撓片に当接する。ディスクが周縁において可撓片を倒伏させながら、トレイはケース内に収納される。可撓片はディスクに当接するが、自由に倒伏することができるので、ディスクには大きな力が作用せず、ディスクはトレイ上において適正且つ正確な位置を維持する。
【０００８】
ディスク排出時、ディスクの周縁は可撓片に当接する。ディスクは周縁において可撓片を段部に向って倒伏させる。可撓片の厚みは、段部とディスク周縁軌跡との間隔より厚くなっているので、可撓片は、ディスク周縁と段部のディスク対向面の間に挟圧される。これによって、ディスク排出時に、ディスクには回転に対する制動力が作用する。ディスク排出時においては、トレイやスピンドルモータに対して位置ずれが生じても、ディスクがトレイから外されるだけであり、ディスクドライブ装置の機能に支障をきたすことはない。
【０００９】
スピンドルモータが、可撓片を段部に向って倒伏する方向にディスクを回転することが好ましい。
ディスク排出時において、ディスクが段部に向って倒伏する方向に回転していると、ディスクは接線方向の摩擦力によって可撓片を段部方向に倒伏させる。ディスクが逆方向に回転していると、可撓片が段部に噛み合わない方向に倒伏するおそれがあるが、上記のような回転方向であると、可撓片はディスクの周縁と段部のディスク対向面との間に確実に挟圧される。
【００１０】
【発明の実施の形態】
以下、図面を参照して本発明によるディスクドライブ装置におけるディスク制動機構の一実施形態を説明する。
【００１１】
図１及び図２はディスクドライブ装置の平面図を示している。ディスクドライブ装置１は、ケース２と、このケース２の開口から挿入及び排出できるトレイ３を備えている。ケース２はボトムカバー２ａとトップカバー２ｂよりなる。ボトムカバー２ａとトップカバー２ｂは、トレイ３を収納空間を形成する。トレイ３は、ケース２に対してディスク４の径方向に摺動自在に取り付けられている。
トレイ３には、ディスク４を回転させるスピンドルモータ５、ディスク４に対して信号の読取り／書込みを行う光ピックアップ６等の部品で構成されたトラバース機構７が取付けられている。スピンドルモータ５にはディスク２をスピンドルモータ５と一体で回転させるためにターンテーブル５ａが設けられている。
【００１２】
本発明におけるディスク制動機構８は、ディスクドライブ装置１のケース２、特に、ボトムカバー２ａに固定されている。ディスク制動機構８は、ケース２内にディスクが収納された時、すなわち、ディスクが回転駆動される状態において、ディスク中心よりケース２の開口側に配置されている。
本実施形態では、ディスク制動機構８は、ボトムカバー２ａからディスクの周縁に向って迫り出した段部８ａと、この段部８ａに取り付けられた矩形舌状の可撓片８ｂよりなる。もっとも、可撓片８ｂは、ケース２、すなわち、ボトムカバー２ａに取り付けられていてもよい。可撓片８ｂは、段部８ａに対してケース２の奥側、すなわち、段部８ａを基準にして開口と反対側に配置されている。
【００１３】
段部８ａの上面、すなわち、段部８ａのディスク対向面は、トレイ３の挿入及び排出時において、ディスク４の周縁の軌跡に沿って延びている。しかし、段部８ａの上面は、ディスク４の周縁の軌跡と離間しており、段部８ａの上面自体がディスク４の周縁に接触することはない。
可撓片８ｂは、段部８ａの後端に取り付けられている。可撓片８ｂがボトムカバー２ａに取り付けられている場合、その可撓片８ｂは、段部８ａの後端に近接又は隣接している。可撓片８ｂは、ディスク周縁軌跡と直交する方向に延びている。可撓片８ｂは、ディスク周縁軌跡と交差、すなわち、干渉する位置まで延びている。可撓片８ｂは、合成繊維あるいはゴム等の弾性体で作られている。可撓片８ｂは、段部８ａの上面とディスク周縁軌跡の隙間（間隔）より若干厚く、前記隙間までは弾性変形可能になっている。
【００１４】
次に、ディスク挿入時及びディスク排出時について、図１乃至図３を参照して本発明によるディスク制動機構の動作を説明する。
図１乃至図３において、ディスク４に対して信号の読取りあるいは信号の書込みを行う場合、ディスクドライブ装置１からトレイ３が引き出された状態で、ディスク４をスピンドルモータ５に設けられたターンテーブル５ａにチャッキングする。これにより、ディスク４はスピンドルモータ５と一体で回転することが可能となる。次に、トレイ３をディスクドライブ装置１内へ挿入する。ディスク４は、トレイ３に固定されたトラバース機構７の構成部品であるスピンドルモータ５に一体的に取付けられているので、トレイ３と共にディスクドライブ装置１内に挿入される。
【００１５】
ディスク４は、ディスクドライブ装置１内に挿入される過程で、ディスク制動機構と接触する。
図３はその過程を示した図である。図３−（１）、（２）、（３）、（４）の順でディスク４の挿入動作を示す。ディスク４がディスクドライブ装置１に挿入されるにしたがって、ディスク４の外周部側面（周縁）４ａとディスク制動機構８が接近する。ディスク４が図３−（２）で示す位置まで挿入されると、ディスク４の外周部側面４ａは、段部８ａのディスク対向面上の通過し、後続する可撓片８ｂに接触する。
ディスク４がさらに挿入されていくと、可撓片８ｂは図３−（３）のように撓み、倒伏していく。さらにディスク４を挿入していくと、ディスク４が可撓片８ｂをディスク周縁軌跡外に排除する。ディスク４が、ディスク制動機構８を通過すると、可撓片８ｂは、弾性によって図３−（４）に示される元の姿勢状態に復帰する。可撓片８ｂは、トレイ３のディスクドライブ装置１内への挿入が完了した時点で、図３−（４）のようにディスク４と干渉しない位置に配置されている。
【００１６】
一方、ディスク４をディスクドライブ装置１から排出する過程を図３−（４）、（３）’、（２）’、（１）の順で示す。図３−（４）で示されたディスク４の挿入完了位置からトレイ３を排出方向に移動させると、ディスク４の外周部側面４ａと可撓片８ｂが接近する。ディスク４が図３−（３）’で示される位置まで排出されると、ディスク４の外周部側面４ａが、ディスク制動機構８の可撓片８ｂと接触する。さらにディスク４を排出すると、可撓片８ｂはディスク４挿入時とは逆方向、すなわち、段部８ａの方向に撓むことになる。
【００１７】
なお、スピンドルモータ５は、図１中時計回り方向に回転制御することが好ましい。ディスク排出時において、可撓片８ｂがディスク周縁から摩擦によって力を受ける方向と可撓片８ｂが倒伏する方向とを一致させることにより、可撓片８ｂは確実に段部８ａに向って倒伏する。
【００１８】
そこからさらにディスク４の排出を進めると、可撓片８ｂは段部８のディスク対向面に沿って変形する。可撓片８ｂの厚みは、段部のディスク対向面とディスク周縁軌跡との間隔より厚くなっている。そのため、可撓片８ｂは、図３−（２）’に示されるように、可撓片８ｂは、ディスク周縁と段部８のディスク対向面との間に挟圧される。この作用によって、ディスク４に制動力が作用し、ディスク４は回転を止める。
さらにディスク４の排出が進むと、ディスク４は可撓片８ｂ上を転動した後、可撓片８ｂとの接触がなくなる。ディスク４は、トレイ３ごと、完全に装置外に排出される。可撓片８ｂは、自身の持つ弾性により、図３−（１）に示される元の姿勢状態に復帰する。
【００１９】
【発明の効果】
本発明によるディスク制動機構は、ディスク制動機構によってディスクに加えられる力をディスク挿入時とディスク排出時で別々に設定することができる。これにより、ディスク制動に必要なディスク外周部側面への接触圧を確保しながらディスク挿入時にはディスクに加わる力を軽減できるため、ディスクのターンテーブル上でのずれが発生しにくくなり、ディスクドライブ装置の読取り／書込み特性への影響を軽減することができる。
【図面の簡単な説明】
【図１】  本発明によるディスク制動機構を採用したディスクドライブ装置におけるトレイ排出時の平面図である。
【図２】  本発明によるディスク制動機構を採用したディスクドライブ装置におけるトレイ挿入時の平面図である。
【図３】  図１及び図２に示すディスクドライブ装置におけるディスク制動機構の動作説明図である。
【図４】  従来のディスクドライブ装置を示す平面図である。
【図５】  図４のディスクドライブ装置におけるディスク制動機構の動作説明図である。
【符号の説明】
１    ディスクドライブ装置    ２    ケース
２ａ  ボトムカバー            ２ｂ  トップカバー
３    トレイ                  ４    ディスク
５    スピンドルモータ        ５ａ  ターンテーブル
６    光ピックアップ          ７    トラバース機構
８    ディスク制動機構
８ａ  段部                    ８ｂ  可撓片
【図１】
0003866559.tif 000002
【図２】
0003866559.tif 000003
【図３】
0003866559.tif 000004
【図４】
0003866559.tif 000005
【図５】
0003866559.tif 000006